(57)【要約】【課題】操作者と対向側の風景を同時に撮影できる電子機器を提供する。【解決手段】縦横スイッチＡ１１５がＯＮである場合、カメラＡのモニタ画面１１０に表示される撮影画像を９０度回転させる。縦横スイッチＢ１１６がＯＮである場合、カメラＢの切り出し方向を９０度回転させる。カメラＡ、Ｂを搭載した携帯電話では、初期状態（横位置）で、回転リングＡ１０７を９０度回転させてカメラＡを縦位置にセットし、縦横スイッチＢ１１６をＯＮにしてカメラＢの画像切り出しを縦位置切り出しエリアに切り替えると、カメラＡの撮影画像は横転した状態、かつカメラＢの撮影画像は縦位置状態の画面表示となる。この状態で、縦横スイッチＡ１１５をＯＮにすると、カメラＡの画面だけが９０度回転し、正立した状態の画面表示となる。【選択図】      図５
2004193860.tif 000002
【特許請求の範囲】
【請求項１】
撮影方向の異なる少なくとも２つのカメラを搭載した電子機器において、
第１のカメラで撮影された第１の撮影画像および第２のカメラで略同時に撮影された第２の撮影画像を出力する画像出力手段と、
前記第１のカメラにおける光軸を中心とする回転方向の撮影角度を操作する第１の撮影角度操作手段と、
前記第２のカメラにおける光軸を中心とする回転方向の撮影角度を操作する第２の撮影角度操作手段とを備えたことを特徴とする電子機器。
【発明の詳細な説明】
【０００１】
【発明の属する技術分野】
本発明は、撮影方向の異なる少なくとも２つのカメラを搭載した電子機器に関する。
【０００２】
【従来の技術】
特許文献１は、１８０度回転可能なカメラ部を有するカメラ付き電子機器を開示している。
【０００３】
【特許文献１】
特開平１１−２０５７６１号公報
【０００４】
【発明が解決しようとする課題】
しかしながら、従来のカメラ付き電子機器では、以下に掲げる問題があり、その改善が要望されていた。すなわち、カメラ部が１つしか設けられていないため、操作者自身あるいは風景のどちらか一方を選択して撮影しなければならなかった。したがって、操作者と風景を同時に撮影して画像を伝送することができなかった。また、同一の姿勢を保持した状態で、撮影位置（撮影角度）を変えることができなかった。さらに、同一の姿勢を保持した状態で、縦位置あるいは横位置の切り替えができなかった。また、傾斜方向の撮影位置（撮影角度）を変えることができなかった。
【０００５】
そこで、本発明は、操作者と対向側の風景を同時に撮影することができる電子機器を提供することを目的とする。また、本発明は、同一の姿勢を保持した状態で、撮影位置（撮影角度）を変えることができる電子機器を提供することを他の目的とする。
【０００６】
【課題を解決するための手段】
上記目的を達成するために、本発明の電子機器は、撮影方向の異なる少なくとも２つのカメラを搭載した電子機器において、第１のカメラで撮影された第１の撮影画像および第２のカメラで略同時に撮影された第２の撮影画像を出力する画像出力手段と、前記第１のカメラにおける光軸を中心とする回転方向の撮影角度を操作する第１の撮影角度操作手段と、前記第２のカメラにおける光軸を中心とする回転方向の撮影角度を操作する第２の撮影角度操作手段とを備えたことを特徴とする。
【０００７】
【発明の実施の形態】
本発明の電子機器の実施の形態について図面を参照しながら説明する。本実施形態の電子機器は、２つのカメラ（カメラＡ、Ｂ）を搭載した携帯電話（カメラ付き携帯電話）に適用された場合を示す。
【０００８】
［第１の実施形態］
図１は第１の実施形態におけるカメラ付き携帯電話の外観を示す図である。同図（Ａ）は横持ちの使用状態を示す。同図（Ｂ）は縦持ちの使用状態を示す。図２はカメラ付き携帯電話の内部構造を示す部分断面図である。図において、１０１は風景などを撮影するためのレンズユニットＡである。レンズユニットＡ１０１は、カメラＡのレンズユニットである。１０２は画像や音声を送受信するためのアンテナである。１０３は携帯電話本体の外装である。１０５は使用者を撮影するためのレンズユニットＢである。レンズユニットＢ１０５は、カメラＢのレンズユニットである。ここで、レンズユニットＡ１０１は高倍率ズームレンズからなり、レンズユニットＢ１０５はパンフォーカスの単焦点ワイドズームレンズからなる。また、レンズユニットＢ１０５は矢印ｅ方向に回動自在であり、その光軸を中心する回転方向の撮影角度を調節することができる。
【０００９】
１０４はレンズユニットＢ１０５を内蔵し、矢印ｃに示す撮影方向（チルト方向）を可変するための回転部材である。１０６は回転部材１０４を指で回し易くするための回転リングＢである。回転リングＢ１０６には、ローレットが施されている。また、回転部材１０４には、回転方向にフリクションが付加されており、使用者は回転部材１０４を所望の角度で停止させることができる。さらに、回転部材１０４には、９０度毎にクリック機構（図示せず）が設けられており、使用頻度の高いポジションで確実に停止させることができる。
【００１０】
１０７は光軸を中心に撮像素子Ａ２０５を矢印ｄ方向に回転させ、回転方向の撮影角度を調節する回転リングＡである。回転リングＡ１０７には、回転方向にフリクションが付加されており、使用者は回転リングＡ１０７を所望の角度で停止させることができる。さらに、回転リングＡ１０７には、９０度毎にクリック機構（図示せず）が設けられており、使用頻度の高い縦位置および横位置で確実に停止させることができる。
【００１１】
１０８は撮影の開始／停止を切り替えるスタート／ストップＳＷである。１０９は電話機能用スピーカである。１１０はＬＣＤ等を利用したモニタ画面である。１１１はモニタ画面１１０や表示回路等を内蔵するモニタユニットである。モニタユニット１１１は、同図（Ｂ）に示す矢印ａ方向およびｂ方向に回動自在であり、携帯電話本体内に収納されたり、飛び出した状態で様々なアングルの撮影を可能にする。
【００１２】
１１２は撮影者の手である。１１３は操作ＳＷである。１１４は電話機能用マイクである。１１５は縦横スイッチＡであり、回転リングＡ１０７を用いて撮影角度を縦位置／横位置に変更した際、それぞれの撮影画像をモニタ画面１１０上に縦正立／横正立の状態で表示させるため、画像を９０度回転させるものである。
【００１３】
１１６は縦横スイッチＢであり、撮像素子Ｂ２０３で撮像された正方形の画像を、縦長あるいは横長のどちらに切り出すかを選択するＳＷである。２０１はカメラＡ用レンズ（撮影レンズＡ）である。２０２はカメラＢ用レンズ（撮影レンズＢ）である。２０３は撮像素子Ｂである。２０４は止めねじである。２０５は撮像素子Ａであり、画素数の多い高画質用撮像素子である。また、撮像素子Ａ２０５は回転リングＡ１０７に固定されている。一方、撮像素子Ｂ２０３は、画素数の比較的少ない撮像素子である。ここで、カメラＡはレンズユニットＡおよび撮像素子Ａを含むものである。一方、カメラＢはレンズユニットＢおよび撮像素子Ｂを含むものである。
【００１４】
上記構成を有する携帯電話では、撮影者自身を撮影する場合のように、撮影画角が大きく、画質が比較的要求されない場合には、カメラＢが使用される。一方、画角が可変であるかあるいは小さく、高画質が要求される風景等を撮影するような場合には、カメラＡが使用される。これにより、それぞれの被写体に対して最適な撮影が可能となる。
【００１５】
また、カメラＡとカメラＢの撮影方向を互いに直角に設置する、つまりカメラＡとカメラＢの光軸が略直交することにより、撮影者自身と風景等の画像を、同時に撮影することが可能となる。尚、前述したように、図１（Ａ）は横持ち使用状態を示し、風景等を撮影すると同時に使用者の顔を撮影して同時に画像伝送を行う場合に適する。一方、図１（Ｂ）は縦持ち使用状態を示し、風景等の撮影に専念する場合に適する。この縦持ちの使用形態では、ホールディングし易く、特に長時間の動画撮影に適する。
【００１６】
図３は携帯電話の電気的構成を示すブロック図である。図において、２０１は前述した撮影レンズＡである。２０５は前述した撮像素子Ａである。同様に、２０２は前述した撮影レンズＢである。２０３は前述した撮像素子Ｂである。また、３０３、３０６は画像処理回路である。３０７はシステム全体を制御する制御部であり、周知のＣＰＵ、ＲＯＭ、ＲＡＭ等から構成される。１１１はモニタユニットである。１０９はスピーカである。１１４はマイクである。３１１は前述した複数の操作ＳＷ１１３を有する操作部である。３１２は記憶部である。３１３は通信部である。１１５は前述した縦横スイッチＡである。１１６は前述した縦横スイッチＢである。
【００１７】
このような電気的構成を有する携帯電話では、２個の撮像素子Ａ２０５、Ｂ２０３からの出力信号は、それぞれ画像処理回路３０３、３０６を介し、画像信号として制御部３０７に取り込まれる。制御部３０７は、取り込まれた画像を加工したり、記憶部３１２および通信部３１３に送出するとともに、モニタユニット１１１に出力してモニタ画面１１０上に画像を表示させる。また、制御部３０７は、操作部３１１、縦横スイッチＡ１１５あるいは縦横スイッチＢ１１６からの情報に基づく制御や、スピーカ１０９およびマイク１１４の制御を行う。
【００１８】
図４は制御部３０７における縦横切り替え時の処理手順を示すフローチャートである。この処理プログラムは制御部３０７内のＲＯＭに格納されており、同じく制御部３０７内のＣＰＵによって実行される。まず、縦横スイッチＡ１１５がＯＮであるか否かを判別する（ステップＳ１）。縦横スイッチＡ１１５がＯＮである場合、カメラＡのモニタ画面１１０に表示される撮影画像を９０度回転させる（ステップＳ２）。一方、縦横スイッチＡ１１５がＯＦＦである場合、そのままステップＳ３の処理に進む。
【００１９】
つづいて、縦横スイッチＢ１１６がＯＮであるか否かを判別する（ステップＳ３）。縦横スイッチＢ１１６がＯＮである場合、カメラＢの切り出し方向を９０度回転させて縦方向切り出しとする、縦横切り出し切り替えを行う（ステップＳ４）。この後、ステップＳ１の処理に戻る。一方、ステップＳ３で、縦横スイッチＢ１１６がＯＦＦである場合、そのままステップＳ１の処理に戻る。
【００２０】
図５はモニタ画面１１０上の表示状態を示す図である。図において、４０１は撮影者モニタ用画面である。４０２は風景撮影モニタ用画面である。画面４０１は、画面４０２の子画面として表示される。この画面４０１が携帯ＴＶ電話として使用される際、この表示画面が相手の携帯ＴＶ電話に表示されるとともに、確認のため自分の携帯ＴＶ電話にも表示される。
【００２１】
同図（Ｄ）は撮像素子Ｂの撮像エリアを示す。図において、４０４は撮像素子Ｂの有効エリアである。４０５は縦位置切り出しエリアである。４０６は横位置切り出しエリアである。縦横スイッチＢ１１６のＯＮ／ＯＦＦ動作により、切り出しエリアの縦／横位置が切り替わる。同図（Ａ）は初期状態（横位置）である。この状態で、回転リングＡ１０７を９０度回転させてカメラＡを縦位置にセットし、縦横スイッチＢ１１６をＯＮにしてカメラＢの画像切り出しを縦位置切り出しエリアに切り替えると、同図（Ｂ）に示すように、カメラＡの撮影画像は横転した状態で、かつカメラＢの撮影画像は縦位置である状態の画面表示となる。さらに、この状態で、縦横スイッチＡ１１５をＯＮにすると、カメラＡの画面だけが９０度回転し、同図（Ｃ）のような正立した状態の画面表示となる。尚、ここでは、縦横スイッチＡ１１５および縦横スイッチＢ１１６の両方をＯＮにしたが、片方のカメラだけを縦位置にすることも可能である。
【００２２】
このように、第１の実施形態のカメラ付き携帯電話では、撮影者自身を撮影して画像を伝送する等、高画質が要求されない場合、カメラＢを使用し、撮像素子Ｂ２０３で撮影された画像の一部を切り出すことにより、縦／横位置の切り替えを容易に行うことが可能である。しかも、低コストで実現できる。一方、重要な風景等を撮影する場合、カメラＡを使用し、撮像素子Ａ２０５で撮影された画像を回転させることにより、高画質を維持したまま、縦／横位置の切り替えを容易に行うことが可能である。これにより、それぞれの被写体の構図を考慮し、縦位置または横位置を選択することで、バランスのとれた画像を撮影することができる。
【００２３】
［第２の実施形態］
図６は第２の実施形態におけるカメラ付き携帯電話の外観を示す図である。第２の実施形態の携帯電話は２つのカメラ（カメラＡ，Ｂ）を有する。図７はカメラ付き携帯電話の内部構造を示す部分断面図である。
【００２４】
図において、６０１は風景などを撮影するためのレンズユニットＡである。レンズユニットＡ６０１は、カメラＡのレンズユニットである。６０７は使用者を撮影するためのレンズユニットＢである。レンズユニットＢ６０７は、カメラＢのレンズユニットである。レンズユニットＡ６０１は高倍率ズームレンズからなる。一方、レンズユニットＢ６０７はパンフォーカスの単焦点ワイドズームレンズからなる。
【００２５】
また、６０２は画像や音声を送受信するためのアンテナである。６０３は携帯電話本体の外装である。６０４は撮像素子Ａ７０９をその光軸を中心に回転させ、回転方向の撮影角度を調節する回転リングＡである。回転リングＡ６０４には、回転方向にフリクション（図示せず）が付加されており、所望の角度で停止させることができる。また、回転リングＡ６０４には、９０度毎にクリック機構（図示せず）が設けられており、使用頻度の高い縦位置および横位置では、更に確実に停止させることができる。６０８は回転リングＢである。
【００２６】
６０９は撮影の開始／停止を切り替えるスタート／ストップＳＷである。６１１は電話機能用スピーカである。６１４はＬＣＤ等を利用したモニタ画面である。６１５はモニタ画面６１４を有し、表示回路等を内蔵したモニタユニットである。このモニタユニット６１５は、図中矢印ａ方向およびｂ方向に回動自在であり、携帯電話本体内に収納されたり、飛び出した状態で様々なアングルの撮影を可能にする。６１０は撮影者の手である。６１３は操作ＳＷである。６１２は電話機能用マイクである。７０２はカメラＡ用レンズ（撮影レンズＡ）である。７０４はカメラＢ用レンズ（撮影レンズＢ）である。７０５は撮像素子Ｂである。７０９は撮像素子Ａであり、画素数の多い高画質用撮像素子からなる。撮像素子Ａ７０９は回転リングＡ６０４に固定されている。一方、撮像素子Ｂ７０５は、画素数の比較的少ない撮像素子である。
【００２７】
７１０は止めねじである。６０５は接眼状態で画像をモニタするファインダユニットである。７０７は表示用ＬＣＤユニットである。７０６はＬＣＤの駆動回路である。７０８はＬＣＤ用のバックライトである。６０６はファインダユニット６０５を矢印ｇ方向に回動して、チルト方向の撮影角度を調整するためのヒンジである。７０１はヒンジ６０６のヒンジ軸である。６０７は使用者を撮影するためのレンズユニットＢである。７１２は回転リングＡ６０４に設置された反射板である。７１１は反射板７１２の位置を検出し、カメラＡの縦／横位置を検出する光センサである。ここで、反射板７１２は、縦位置および横位置に相当する位置に２種類の異なる反射パターンで設置されており、撮影角度としての縦／横位置を検出できる。尚、後述する縦横センサＡ８０１は光センサ７１１および反射板７１２から構成される。また、図７に示すように、回転リングＢ６０８には、反射板７１４が設けられ、ファインダユニット６０５には、光センサ７１３が設けられおり、これらは、後述する第４の実施形態における縦横センサＢ８０２Ａを構成するが、第２の実施形態では、使用されない。
【００２８】
上記構成を有するカメラ付き携帯電話では、撮影者自身を撮影する場合など、撮影画角が大きく、画質が比較的要求されない場合、カメラＢが使用される。一方、画角可変あるいは小さい画角で、高画質が要求される風景等を撮影する場合、カメラＡが使用される。これにより、それぞれの被写体において、最適な撮影が可能となる。また、カメラＡの撮影方向とカメラＢの撮影方向を互いに略１８０度、つまり略反対方向に設置することにより、撮影者自身と風景等の画像を、同時に撮影することが可能である。
【００２９】
図８は携帯電話の電気的構成を示すブロック図である。図において、７０２は前述した撮影レンズＡである。７０９は前述した撮像素子Ａである。同様に、７０４は前述した撮影レンズＢである。７０５は前述した撮像素子Ｂである。また、３０３、３０６は画像処理回路である。３０７はシステム全体を制御する制御部であり、周知のＣＰＵ、ＲＯＭ、ＲＡＭ等から構成される。６１５はモニタユニットである。６１１はスピーカである。６１２はマイクである。３１１は前述した複数の操作ＳＷ６１３を有する操作部である。３１２は記憶部である。３１３は通信部である。８０１は縦横センサＡである。縦横センサＡの出力は制御部３０７に取り込まれる。８０２は縦横スイッチＢである。この縦横スイッチＢ８０２は、操作部３１１における操作ＳＷ６１３の１つとして実現される。
【００３０】
図９は制御部３０７における縦横切り替え時の処理手順を示すフローチャートである。この処理プログラムは制御部３０７内のＲＯＭに格納されており、同じく制御部３０７内のＣＰＵによって実行される。まず、縦横センサＡ８０１の出力が縦位置であるか否かを判別する（ステップＳ１１）。縦位置である場合、カメラＡのモニタ表示を縦位置にセットし（ステップＳ１３）、一方、横位置である場合、カメラＡのモニタ表示を横位置にセットする（ステップＳ１２）。
【００３１】
つづいて、縦横スイッチＢ８０２がＯＮであるか否かを判別する（ステップＳ１４）。縦横スイッチＢ８０２がＯＮである場合、カメラＢの切り出し方向を９０度回転させて縦方向切り出しとする、縦／横切り出し切り替えを行う（ステップＳ１５）。この後、ステップＳ１１の処理に戻る。一方、ステップＳ１４で縦横スイッチＢ８０２がＯＦＦである場合、そのままステップＳ１１の処理に戻る。
【００３２】
図１０はモニタ画面６１４上の表示状態を示す図である。図において、４０１は撮影者モニタ用画面である。４０２は風景撮影モニタ用画面である。画面４０１は、画面４０２の子画面として表示される。この画面４０１が携帯ＴＶ電話として使用される際、この表示画面が相手の携帯ＴＶ電話に表示されるとともに、確認のため自分の携帯ＴＶ電話にも表示される。
【００３３】
同図（Ｃ）は撮像素子Ｂの撮像エリアを示す。図において、４０４は撮像素子Ｂの有効エリアである。４０５は縦位置切り出しエリアである。４０６は横位置切り出しエリアである。これらの切り出しエリアは、縦横スイッチＢ８０２のＯＮ／ＯＦＦ動作により切り替わる。同図（Ａ）は初期状態（横位置）を示す。この状態で、回転リングＡ６０４を９０度回転させ、縦横スイッチＢ８０２を操作して縦位置にセットすると、画面４０２が９０度回転して正立した状態となり、画面４０１が縦位置である同図（Ｂ）に示す画面表示となる。尚、ここでは、回転リングＡ６０４を９０度回転させ、縦横スイッチＢ８０２を操作し、カメラＡおよびカメラＢがともに縦位置となるようにしたが、片方だけ縦位置となるように切り替えてもよい。
【００３４】
このように、第２の実施形態の携帯電話では、撮影者自身を撮影して伝送する等、高画質が要求されない場合、カメラＢを使用し、撮像素子Ｂ７０５によって撮影された画像を一部切り出すことにより、縦／横位置を容易に切り替えることが可能である。しかも、低コストで実現できる。一方、重要な風景等を撮影する場合、カメラＡを使用し、撮像素子Ａ７０９を回転させることにより、高画質を維持したまま、縦／横位置を切り替えることが可能である。これにより、それぞれの被写体の構図を考慮し、縦位置または横位置を選択することで、バランスのとれた画像を撮影することができる。
【００３５】
［第３の実施形態］
図１１は第３の実施形態における携帯電話の電気的構成を示すブロック図である。第３の実施形態における携帯電話は、前記第１の実施形態とほぼ同様の構成を有するので、同一の構成要素には同一の符号を用いて説明する。第３の実施形態では、前記第１の実施形態の縦横スイッチＢ１１６の代わりに、縦横スイッチＢ１１６Ａが設けられている。尚、縦横スイッチＢ１１６Ａの配置は、前記第１の実施形態における図１の縦横スイッチＢ１１６と同じ配置である。その他の構成は前記第１の実施形態と同じである。この縦横スイッチＢ１１６Ａは、レンズユニットＢ１０５を回動させて、撮影角度を縦／横位置に変更した際、それぞれの撮影画像をモニタユニット１１１のモニタ画面１１０上に縦／横正立した状態で表示させるために、画像を９０度回転させるものである。
【００３６】
図１２は制御部３０７における縦横切り替え時の処理手順を示すフローチャートである。この処理プログラムは制御部３０７内のＲＯＭに格納されており、同じく制御部３０７内のＣＰＵによって実行される。まず、縦横スイッチＡ１１５がＯＮであるか否かを判別する（ステップＳ２１）。縦横スイッチＡ１１５がＯＮである場合、モニタ画面１１０上におけるカメラＡのモニタ表示を９０度回転させる（ステップＳ２２）。一方、縦横スイッチＡ１１５がＯＦＦである場合、そのままステップＳ２３の処理に進む。
【００３７】
つづいて、縦横スイッチＢ１１６ＡがＯＮであるか否かを判別する（ステップＳ２３）。縦横スイッチＢ１１６ＡがＯＮである場合、モニタ画面１１０上におけるカメラＢのモニタ表示を９０度回転させる（ステップＳ２４）。この後、ステップＳ２１の処理に戻る。一方、ステップＳ２３で、縦横スイッチＢ１１６ＡがＯＦＦである場合、ステップＳ２１の処理に戻る。
【００３８】
図１３はモニタ画面１１０の表示状態を示す図である。図において、４０１は撮影者モニタ用画面である。４０２は風景撮影モニタ用画面である。画面４０１は、画面４０２の子画面として表示される。この画面４０１が携帯ＴＶ電話として使用される際、この表示画面が相手の携帯ＴＶ電話に表示されるとともに、確認のため自分の携帯ＴＶ電話にも表示される。
【００３９】
同図（Ａ）は初期状態（横位置）である。この状態で、回転リングＡ１０７および回転リングＢ１０６を９０度回転させて、カメラＡおよびカメラＢを縦位置にセットすると、同図（Ｂ）の画面表示となる。さらに、この状態で、縦横スイッチＡ１１５および縦横スイッチＢ１１６ＡをＯＮにすると、カメラＡおよびカメラＢの両画面が９０度回転し、同図（Ｃ）のような正立した状態の画面表示となる。尚、ここでは、縦横スイッチＡ１１５および縦横スイッチＢ１１６Ａの両方をＯＮにしたが、片方のカメラだけを回して、その縦横スイッチをＯＮにした場合、そのカメラの縦／横位置が切り替わり、その片方の画面表示だけが９０度回転するようにしてもよい。
【００４０】
このように、第３の実施形態のカメラ付き携帯電話では、撮影者自身を撮影して画像を伝送する等、高画質が要求されない場合、カメラＢを使用して、撮像素子Ｂ２０３で撮影された画像を回転させることにより、縦／横位置の切り替えを容易に行うことが可能である。しかも、低コストで実現できる。一方、重要な風景等を撮影する場合、カメラＡを使用し、撮像素子Ａ２０５で撮影された画像を回転させることにより、高画質を維持したまま、縦／横位置の切り替えを容易に行うことが可能である。これにより、それぞれの被写体の構図を考慮し、縦位置または横位置を選択することで、バランスのとれた画像を撮影することができる。
【００４１】
［第４の実施形態］
図１４は第４の実施形態における携帯電話の電気的構成を示すブロック図である。第４の実施形態における携帯電話は、前記第２の実施形態とほぼ同様の構成を有するので、同一の構成要素には同一の符号を用いて説明する。第４の実施形態では、前記第２の実施形態の縦横スイッチＢ８０２の代わりに、縦横センサＢ８０２Ａが使用される。この縦横センサＢ８０２Ａは、レンズユニットＢ６０５を回動させて撮影角度を縦／横位置に変更した際、それぞれの撮影画像をモニタ６１５のモニタ画面６１４上に縦／横正立した状態で表示させるために、画像を９０度回転させるために使用される。
【００４２】
また、前述したように、図７において、７１４は回転リングＢ６０８に設置された反射板である。７１３はファインダユニット６０５に設置され、反射板７１４の位置を検出し、カメラＢの縦／横位置を検出する光センサである。反射板７１４は縦位置および横位置に相当する位置に２種類の異なる反射パターンで設置されており、撮影角度としての縦位置／横位置を検出することが可能である。尚、縦横センサＢ８０２Ａは光センサ７１３および反射板７１４から構成される。
【００４３】
図１５は制御部３０７における縦横切り替え時の処理手順を示すフローチャートである。この処理プログラムは制御部３０７内のＲＯＭに格納されており、同じく制御部３０７内のＣＰＵによって実行される。まず、縦横センサＡ８０１の出力が縦位置であるか否かを判別する（ステップＳ３１）。縦位置である場合、モニタ画面６１４におけるカメラＡのモニタ表示を縦位置にセットし（ステップＳ３３）、一方、横位置である場合、モニタ画面６１４におけるカメラＡのモニタ表示を横位置にセットする（ステップＳ３２）。
【００４４】
つづいて、縦横センサＢ８０２Ａの出力が縦位置であるか否かを判別する（ステップＳ３４）。縦横センサＢ８０２Ａの出力が縦位置である場合、カメラＢのモニタ表示を縦位置にセットする（ステップＳ３５）。この後、ステップＳ３１の処理に戻る。一方、ステップＳ３４で縦横センサＢ８０２Ａの出力が横位置である場合、カメラＢのモニタ表示を横位置にセットする（ステップＳ３６）。この後、ステップＳ３１の処理に戻る。
【００４５】
図１６はモニタ画面６１４上の表示状態を示す図である。図において、４０１は撮影者モニタ用画面である。４０２は風景撮影モニタ用画面である。画面４０１は、画面４０２の子画面として表示される。この画面４０１が携帯ＴＶ電話として使用される際、この表示画面が相手の携帯ＴＶ電話に表示されるとともに、確認のため自分の携帯ＴＶ電話にも表示される。
【００４６】
同図（Ａ）は初期状態（横位置）を示す。この状態で、回転リングＡ６０４および回転リングＢ６０８を９０度回転させて縦位置にセットすると、画面４０１および画面４０２が９０度回転し、同図（Ｂ）に示す画面表示となる。尚、ここでは、回転リングＡ６０４および回転リングＢ６０８の両方を９０度回転させて縦位置となるようにしたが、片方だけ９０度回転させた場合、片方だけ９０度回転した表示に切り替わる。
【００４７】
第４の実施形態の携帯電話では、撮影者自身を撮影して伝送する等、高画質が要求されない場合、カメラＢを使用し、撮像素子Ｂ７０５を回転させることにより、縦／横位置を容易に切り替えることが可能である。しかも、低コストで実現できる。一方、重要な風景等を撮影する場合、カメラＡを使用し、撮像素子Ａ７０９を回転させることにより、高画質を維持したまま、縦／横位置を切り替えることが可能である。これにより、それぞれの被写体の構図を考慮し、縦位置または横位置を選択することで、バランスのとれた画像を撮影することができる。
【００４８】
このように、上記実施形態によれば、操作者と対向側の風景を同時に撮影することができる。また、同一の姿勢を保持した状態で、撮影位置（撮影角度）を変えることができる。具体的に、縦位置／横位置を切り替えることができる。さらに、カメラを２個搭載しても、外形をコンパクトにできる。また、カメラ部を２個搭載しても、操作者自身と対向側の風景とを同時に撮影する際、一方だけの撮影角度を変えることができる。
【００４９】
また、レンズの先細りとなっている部分を有効に利用して、製品を小型化できる。さらに、使用者の顔を正確な角度で撮影可能である。また、チルト方向の傾き調整を、ファインダユニットの傾き調整と兼用させることで、製品を小型化できる。さらに、同一姿勢で保持した状態で傾斜方向の撮影位置（撮影角度）を変更することができる。また、撮影角度の切り替えを迅速に行うことができる。
【００５０】
以上が本発明の実施の形態の説明であるが、本発明は、これら実施の形態の構成に限られるものではなく、特許請求の範囲で示した機能、または実施の形態の構成が持つ機能が達成できる構成であればどのようなものであっても適用可能である。
【００５１】
例えば、上記実施形態では、光軸を中心とする回転方向の撮影角度は縦位置および横位置の２つに設定された場合を示したが、傾斜地等に合わせて任意の角度に設定してもよいことは勿論である。
【００５２】
また、上記実施形態では、携帯電話に適用された場合を示したが、ＰＤＡ（携帯情報端末）やノート型ＰＣ等に適用してもよいことは勿論である。
【００５３】
本発明の実施形態を以下に列挙する。
【００５４】
［実施態様１］  撮影方向の異なる少なくとも２つのカメラを搭載した電子機器において、第１のカメラで撮影された第１の撮影画像および第２のカメラで略同時に撮影された第２の撮影画像を出力する画像出力手段と、前記第１のカメラにおける光軸を中心とする回転方向の撮影角度を操作する第１の撮影角度操作手段と、前記第２のカメラにおける光軸を中心とする回転方向の撮影角度を操作する第２の撮影角度操作手段とを備えたことを特徴とする電子機器。
【００５５】
［実施態様２］  撮影方向の異なる少なくとも２つのカメラを搭載した電子機器において、第１の撮影画像を生成する第１のカメラと、前記第１の撮影画像の生成と略同時に、第２の撮影画像を生成する第２のカメラと、前記生成された第１の撮影画像および第２の撮影画像の少なくとも一方を切り出す画像切出手段と、該少なくとも一方が切り出された前記第１の撮影画像および第２の撮影画像を出力する画像出力手段とを備えたことを特徴とする電子機器。
【００５６】
［実施態様３］  前記出力された第１の撮影画像および第２の撮影画像を同一の画面上に重ねて表示する画像表示手段と、前記画面上における前記第１の撮影画像の表示角度を変更する第１の表示角度変更手段と、前記画面上における前記第２の撮影画像の表示角度を変更する第２の表示角度変更手段とを備え、前記第１および第２の変更手段は、それぞれ前記撮影角度に合わせて前記表示角度を変更することを特徴とする実施態様１記載の電子機器。
【００５７】
［実施態様４］  前記出力される第２の撮影画像を切り出す画像切出手段と、該切り出された第２の撮影画像および前記出力された第１の撮影画像を同一の画面上に重ねて表示する画像表示手段と、前記第２の撮影画像の切り出し方向を変更する切出変更手段と、前記画面上における前記第１の撮影画像の表示角度を変更する第１の表示角度変更手段とを備え、前記切出変更手段は、前記第２の撮影角度操作手段により操作された撮影角度に合わせて前記切り出し方向を変更し、前記第１の表示角度変更手段は前記第１の撮影角度操作手段により操作された撮影角度に合わせて前記表示角度を変更することを特徴とする実施態様１記載の電子機器。
【００５８】
［実施態様５］  前記第１および第２の表示角度変更手段は、それぞれ使用者によって操作されるスイッチを有し、該スイッチの切替にしたがって、前記表示角度を変更することを特徴とする実施態様３記載の電子機器。
【００５９】
［実施態様６］  前記第１および第２の表示角度変更手段は、それぞれ前記撮影角度を検出するセンサを有し、該センサ出力にしたがって、前記表示角度を変更することを特徴とする実施態様３記載の電子機器。
【００６０】
［実施態様７］  前記切出変更手段は、前記第２の撮影角度操作手段によって操作された撮影角度を検出するセンサを有し、該センサ出力にしたがって、前記切り出し方向を変更し、前記第１の表示角度変更手段は、使用者によって操作されるスイッチを有し、該スイッチの切替によって前記表示角度を変更することを特徴とする実施態様４記載の電子機器。
【００６１】
［実施態様８］  前記第２のカメラは、前記第１のカメラの光軸を中心に、該第１のカメラの筐体側面に回動自在に支持されるものであり、前記第２のカメラの光軸と前記第１のカメラの光軸は略直交することを特徴とする実施態様１記載の電子機器。
【００６２】
［実施態様９］  前記第１のカメラの光軸を中心に、前記第２のカメラを回動自在に操作する回動操作手段を備えたことを特徴とする実施態様８記載の電子機器。
【００６３】
［実施態様１０］  前記第２のカメラは、前記第１のカメラの光軸に対して傾斜自在であり、前記第２のカメラと前記第１のカメラの撮影方向は、互いに反対向きであることを特徴とする実施態様１記載の電子機器。
【００６４】
［実施態様１１］  前記第２のカメラの傾斜角度を操作する傾斜操作手段を備えたことを特徴とする実施態様１０記載の電子機器。
【００６５】
［実施態様１２］  前記第２のカメラは、ファインダユニットに内蔵されたことを特徴とする実施態様１０記載の電子機器。
【００６６】
［実施態様１３］  前記第１および第２の撮影角度操作手段によってそれぞれ操作される前記撮影角度は、縦位置あるいは横位置に相当する角度であることを特徴とする実施態様１記載の電子機器。
【００６７】
［実施態様１４］  前記第１および第２の表示角度変更手段によってそれぞれ変更される前記表示角度は、縦位置あるいは横位置に相当する角度であることを特徴とする実施態様３記載の電子機器。
【００６８】
［実施態様１５］  前記切出変更手段によって変更される前記切り出し方向は、縦位置あるいは横位置に相当する方向であり、前記第１の表示角度変更手段によって変更される前記表示角度は、縦位置あるいは横位置に相当する角度であることを特徴とする実施態様４記載の電子機器。
【００６９】
［実施態様１６］  前記第１のカメラの画素数は、前記第２のカメラの画素数に比べて多いことを特徴とする実施態様１記載の電子機器。
【００７０】
［実施態様１７］  前記第２のカメラの撮影画角は、前記第１のカメラの撮影画角に比べて大きいことを特徴とする実施態様１記載の電子機器。
【００７１】
［実施態様１８］  電子機器に搭載された、撮影方向の異なる少なくとも２つのカメラで撮影された画像を出力する撮影画像出力方法において、第１のカメラにおける光軸を中心とする回転方向の撮影角度を操作する第１の撮影角度操作ステップと、第２のカメラにおける光軸を中心とする回転方向の撮影角度を操作する第２の撮影角度操作ステップと、前記第１のカメラで撮影された第１の撮影画像および前記第２のカメラで略同時に撮影された第２の撮影画像を出力する画像出力ステップとを有することを特徴とする撮影画像出力方法。
【００７２】
［実施態様１９］  電子機器に搭載された、撮影方向の異なる少なくとも２つのカメラで撮影された画像を出力する撮影画像出力方法において、第１のカメラで第１の撮影画像を生成する第１の生成ステップと、前記第１の撮影画像の生成と略同時に、第２のカメラで第２の撮影画像を生成する第２の生成ステップと、前記生成された第１の撮影画像および第２の撮影画像の少なくとも一方を切り出す画像切出ステップと、該少なくとも一方が切り出された前記第１の撮影画像および第２の撮影画像を出力する画像出力ステップとを有することを特徴とする撮影画像出力方法。
【００７３】
【発明の効果】
本発明によれば、操作者と対向側の風景を同時に撮影することができる。同一の姿勢を保持した状態で、撮影位置（撮影角度）を変えることができる。
【図面の簡単な説明】
【図１】第１の実施形態におけるカメラ付き携帯電話の外観を示す図である。
【図２】カメラ付き携帯電話の内部構造を示す部分断面図である。
【図３】携帯電話の電気的構成を示すブロック図である。
【図４】制御部３０７における縦横切り替え時の処理手順を示すフローチャートである。
【図５】モニタ画面１１０上の表示状態を示す図である。
【図６】第２の実施形態におけるカメラ付き携帯電話の外観を示す図である。
【図７】カメラ付き携帯電話の内部構造を示す部分断面図である。
【図８】携帯電話の電気的構成を示すブロック図である。
【図９】制御部３０７における縦横切り替え時の処理手順を示すフローチャートである。
【図１０】モニタ画面６１４上の表示状態を示す図である。
【図１１】第３の実施形態における携帯電話の電気的構成を示すブロック図である。
【図１２】制御部３０７における縦横切り替え時の処理手順を示すフローチャートである。
【図１３】モニタ画面１１０の表示状態を示す図である。
【図１４】第４の実施形態における携帯電話の電気的構成を示すブロック図である。
【図１５】制御部３０７における縦横切り替え時の処理手順を示すフローチャートである。
【図１６】モニタ画面６１４上の表示状態を示す図である。
【符号の説明】
１０１  レンズユニットＡ
１０４  回転部材
１０５  レンズユニットＢ
１０６  回転リングＢ
１０７  回転リングＡ
１１０、６１４  モニタ画面
１１５  縦横スイッチＡ
１１６、１１６Ａ、８０２  縦横スイッチＢ
２０３、７０５  撮像素子Ｂ
２０５、７０９  撮像素子Ａ
３０７  制御部
６０５  ファインダユニット
８０１  縦横センサＡ
８０２Ａ  縦横センサＢ
【図１】
2004193860.tif 000003
【図２】
2004193860.tif 000004
【図３】
2004193860.tif 000005
【図４】
2004193860.tif 000006
【図５】
2004193860.tif 000007
【図６】
2004193860.tif 000008
【図７】
2004193860.tif 000009
【図８】
2004193860.tif 000010
【図９】
2004193860.tif 000011
【図１０】
2004193860.tif 000012
【図１１】
2004193860.tif 000013
【図１２】
2004193860.tif 000014
【図１３】
2004193860.tif 000015
【図１４】
2004193860.tif 000016
【図１５】
2004193860.tif 000017
【図１６】
2004193860.tif 000018